(57)【特許請求の範囲】
【請求項１】
歯科治療ステーション（２７）の吸引システム（２３、２５）及び排液システム（２９）を清浄化するための流体清浄化媒体（４）用のディスペンサーにおいて、
供給容器（２）及び分配容器（３）を備えており、分配容器（３）はポンプ（６）を介して供給容器（２）と連結されており、上記ポンプ（６）はその作動時に清浄化媒体（４）を分配容器（３）に送り入れ、分配容器（３）に少なくとも１つの吸引管（２１）が配置されており、清浄化すべき吸引システムのホース（２３）を上記吸引管に連結することができることを特徴とする流体清浄化媒体（４）用のディスペンサー。
【請求項２】
ポンプ（６）がピストンポンプであることを特徴とする請求項１に記載のディスペンサー。
【請求項３】
ポンプ（６）のピストン（８）は分配容器（３）と堅く連結されており、それにより、ポンプ（６）を作動するために、ピストン（８）連結された分配容器（３）を押し下げるようにしたことを特徴とする請求項２に記載のディスペンサー。
【請求項４】
ポンプ（６）のピストン（８）は戻りばね（９）により付勢されていることを特徴とする請求項２又は３に記載のディスペンサー。
【請求項５】
ポンプ（６）と分配容器（３）との間に配置された連結管路（５）に逆止弁（１０）が配置されており、この逆止弁はポンプ（６）の作動時に自動的に開くことを特徴とする請求項１乃至４のいずれかに記載のディスペンサー。
【請求項６】
ポンプ（６）を供給容器（２）と連結する吸引パイプ（１８）に更に他の逆止弁（１４）が配置されていることを特徴とする請求項１乃至５のいずれかに記載のディスペンサー。
【請求項７】
分配容器（３）に更に他の吸引管（２２）が配置されており、清浄化すべき吸引システムのホース（２４）を上記吸引管に連結することができ、それにより２つの吸引管（２２、２３）は異なる直径を有していることを特徴とする請求項１に記載のディスペンサー。
【請求項８】
２つの吸引管（２２、２３）は同軸に配置されていることを特徴とする請求項７に記載のディスペンサー。
【請求項９】
分配容器（３）は注ぎ口（１９）を有していることを特徴とする請求項１乃至８のいずれかに記載のディスペンサー。
【発明の詳細な説明】
【０００１】
【発明の属する技術分野】
本発明は歯科治療ステーションの吸引システム及び排液システムを清浄化するための流体清浄化媒体用のディスペンサーに関する。
【０００２】
【従来の技術】
歯科又は医療治療では、噴霧ミスト、分泌物、血液及び固形物はしばしば真空により吸い出される。衛生の理由で、治療終了後、ほこり及び菌により影響されたシステム、詳細には、吸引システムの吸引ホースを清浄したり汚染除去したりすることが必要である。この目的で、清浄装置は幾つかのプロバイダーにより利用可能になり、これらの装置では、まず、清浄化媒体濃縮物及び水を混合して使用可能な溶液を得る。濃縮物は粉末、ゲル又は低粘度の流体でもよい。清浄化媒体を混合する容器は関係する吸引ホース用の差込み手段を備えており、この差込み手段を介して清浄化液体を吸い出すことができ、それにより吸引システムを清浄化することができる。
【０００３】
ドイツ特許第４０  １０  ６１５  Ｃ２号から、医療又は歯科吸引システムを清浄化する他の方法が知られており、この方法では、清浄化媒体が粒状物の粒子の形態で利用可能になる。粒状物のこれらの粒子は清浄化すべき吸引ホースを通して直接吸引され、それにより吸引システム又は排液システムの濡れた内面と接触すると、これらの粒子は付着したままであり、水膜にゆっくり溶解して湿潤体を形成する。これらの手段により、清浄化媒体は吸引システム内で広がって、最終的に、表面のかなりの部分が非常に濃縮された清浄化媒体で覆われ、それにより所望の強い消毒をもたらす。
【０００４】
【発明が解決しようとする課題】
本発明の目的は、歯科治療ステーションの吸引及び排液システムを清浄化するための労力をできるだけ少なく保つことである。更に、清浄化媒体の単純ではあるが、正確な投与を可能にすることを目的とする。
【０００５】
【課題を解決するための手段】
この目的は請求項１の特徴、即ち、供給容器及び分配容器を備えており、分配容器はポンプを介して供給容器と連結されており、上記ポンプはその作動時に清浄化媒体を分配容器に送り入れることを有する清浄化媒体用のディスペンサーにより達成される。本発明によるディスペンサーは、まず、清浄化媒体を収容する供給容器を有することを特徴とする。その上、分配容器が更に設けられており、この分配容器と供給容器がポンプを介して連結されており、ポンプはその作動時に液状清浄化媒体を分配容器に送り入れる。次いで、清浄化媒体を分配容器から取出したり、吸い出したり、注ぎ出したりすることができる。
【０００６】
本発明によるディスペンサーによれば、供給容器にある清浄化媒体を直接用いることが可能であり、濃縮物及び水から所望濃度に清浄化媒体を予め混合する必要がない。その上、ポンプによって正確な投与が可能であるので、各々の場合、対応するホース又は排液路を清浄化するのに必要とされる量の清浄化媒体が分配容器に送出される。
【０００７】
本発明のなお一層の展開は従属請求項に記載されている。
ポンプは好ましくは流体乃至ペースト状媒体を移送するのに使用されるようなピストンポンプである。従って、分配容器はポンプのピストンと堅く連結され、ポンプを作動するために、分配容器を押し下げるだけでよいようにする。どれだけ分配容器を押し下げるかに応じて、清浄化媒体の対応する量が分配容器に送り込まれる。
【０００８】
供給容器及び分配容器はそれぞれ好ましくは、清浄化すべき吸引システムのホースを連結することができる少なくとも１つ又はそれ以上の吸引管を有している。複数吸引管が存在する場合、これらの吸引管は好ましくは同軸に配置される。更に、分配容器が注ぎ口すなわちリップを有するようにしてもよい。これらの手段により、分配容器に圧送される清浄化媒体を清浄すべき排液システムに簡単に注ぎ入れることができる。
【０００９】
上記の通り、本発明の流体清浄化媒体（４）用のディスペンサーは、請求項１に記載の通り、歯科治療ステーション（２７）の吸引システム（２３、２５）及び排液システム（２９）を清浄化するための流体清浄化媒体（４）用のディスペンサーにおいて、
供給容器（２）及び分配容器（３）を備えており、分配容器（３）はポンプ（６）を介して供給容器（２）と連結されており、上記ポンプ（６）はその作動時に清浄化媒体（４）を分配容器（３）に送り入れ、分配容器（３）に少なくとも１つの吸引管（２１）が配置されており、清浄化すべき吸引システムのホース（２３）を上記吸引管に連結することができることを特徴とする。
また、請求項２に記載のディスペンサーは、請求項１に記載のディスペンサーにおいて、ポンプ（６）がピストンポンプであることを特徴とする。
また、請求項３に記載のディスペンサーは、請求項２に記載のディスペンサーにおいて、ポンプ（６）のピストン（８）は分配容器（３）と堅く連結されており、それにより、ポンプ（６）を作動するために、ピストン（８）連結された分配容器（３）を押し下げるようにしたことを特徴とする。
また、請求項４に記載のディスペンサーは、請求項２又は３に記載のディスペンサーにおいて、ポンプ（６）のピストン（８）は戻りばね（９）により付勢されていることを特徴とする。
また、請求項５に記載のディスペンサーは、請求項１乃至４のいずれかに記載のディスペンサーにおいて、ポンプ（６）と分配容器（３）との間に配置された連結管路（５）に逆止弁（１０）が配置されており、この逆止弁はポンプ（６）の作動時に自動的に開くことを特徴とする。
また、請求項６に記載のディスペンサーは、請求項１乃至５のいずれかに記載のディスペンサーにおいて、ポンプ（６）を供給容器（２）と連結する吸引パイプ（１８）に更に他の逆止弁（１４）が配置されていることを特徴とする。
また、請求項７に記載のディスペンサーは、請求項１に記載のディスペンサーにおいて、分配容器（３）に更に他の吸引管（２２）が配置されており、清浄化すべき吸引システムのホース（２４）を上記吸引管に連結することができ、それにより２つの吸引管（２２、２３）は異なる直径を有していることを特徴とする。
また、請求項８に記載のディスペンサーは、請求項７に記載のディスペンサーにおいて、２つの吸引管（２２、２３）は同軸に配置されていることを特徴とする。
また、請求項９に記載のディスペンサーは、請求項１乃至８のいずれかに記載のディスペンサーにおいて、分配容器（３）は注ぎ口（１９）を有していることを特徴とする。
【００１０】
【実施例】
添付図面を参照して本発明をより詳細に説明する。
本発明によるディスペンサーは特に歯科椅子２８及び適切な歯科治療装置を有する図９に概略的に示すような歯科治療ステーション２７の吸引及び排液システムの清浄化のために設けられる。清浄化すべき部分は特に、ゆすぎ水溜め２９と、噴霧ミストハンドピース３０又はつば排液ホースハンドピース３１の吸引ホース２３、２５により構成された排液システムとである。
【００１１】
この目的で設けられた図１に示すディスペンサー１は実質的に２つの部品、すなわち、供給容器２によって構成された下側部品と、分配容器３によって構成された上側部品とよりなる。供給容器２は、好ましくは中間の粘性特性を有する液体又はゲルである多量の清浄化媒体４を保持するのに役立つ。
【００１２】
供給容器２及び分配容器３は液状乃至ペースト状の媒体を送出すのに使用されるようなピストンポンプの形態の手で送出すポンプ６を介して連結されている。ポンプハウジング７内には、戻りばね９により上方に付勢されているピストン８が移動可能に設けられている。ポンプハウジング７の上側出口は剛性パイプの形態の連結管路５を介して分配容器３と連結されている。連結パイプ５内には、ばね１２によりポンプ６の移送方向と反対の方向に止め部１３に当たるように下方に付勢されているボール１１により構成された上側逆止弁１０が配置されている。
【００１３】
更に、上側逆止弁１０と同じように構成された下側逆止弁１４がポンプハウジング７の入口に配置されており、この下側逆止弁１４は供給容器１の中へ延びている吸引パイプ１８を開放したり閉塞したりするのに役立つ。
【００１４】
分配容器３内には、２つの吸引管２１、２２が配置されており、これらの吸引管２１、２２はこれらを清浄すべき吸引システムのホースと連結することができる程度の直径を有している。このように、ホースを清浄化するために、分配容器３内にある清浄化媒体を引き出すことができる。しかも、分配容器３は一方の側に注ぎ口すなわちリップ１９を有しており、ゆすぎ水溜めを清浄するために、例えば、分配容器３にある清浄化媒体を注ぎ口１９から注ぐことができる。最後に、分配容器３の上側には、抜き孔２０が設けられている。
【００１５】
図２乃至図８を参照して、ポンプ６及びディスペンサー１全体の機能する方法を説明する。種々の図は分配手順の個々の段階を示している。
【００１６】
図２は分配手順前のディスペンサー１の初期状態を示している。この初期位置でピストン８が戻りばね９によってポンプハウジング７内のその上端位置までも上方に押される。それにより、ポンプハウジング７は清浄化媒体で完全に満たされる。更に、吸引パイプ１８及び連結パイプ５もポンプハウジング７の上方側から上側逆止弁１０まで清浄化媒体で満たされる。
【００１７】
例えば、図３に示すように、噴霧ミストホースハンドピースのホース２３を清浄化しようとする場合、このホース２３をその継手部品２４を介して分配容器３の吸引管２１と連結する。次いで、分配容器を付勢ばね９の力に抗してポンプピストン８とともに押し下げ、これは例えば継手部品２４の押し下げによって行なうことができる。
【００１８】
ピストン８の押し下げにより、ピストン室の容積が減少されて、その中の清浄化媒体４が分配容器３の方向に上方に流れる。それにより、上側逆止弁１０のボール１１が上方に押されて、弁１０が自動的に開く。次いで、分配容器３に流入した清浄化媒体４がホース２３を通って引き出されて、このホースが清浄化される。下側の逆止弁１４はこの手順中、閉じられたままである。図４はつば排液ホースハンドピースのホース２５を清浄化する場合の同じ工程を示している。この場合、より細いホース２５をその継手部品２６を介して内側吸引パイプ２２と連結する。
【００１９】
どれだけの清浄化媒体が分配容器３に移送されるかはピストンストロークの高さにより決まる。かくして、ピストン８が所望量に正確に相当する高さだけ押し下げられるほどの量の清浄化媒体４を正確に投与することが可能である。例えば、この目的で、目盛りを外側に付すことができ、この目盛りは特定量の清浄化媒体を移送するのに必要とされるピストンストロークを示す。
【００２０】
ピストン８が完全に押し下げられるとき、分配手順のための最大量の清浄化媒体を分配容器に移送することができる。ピストン８を所望の高さ又は完全に押し下げるなら、上側の逆止弁１０は図５に示すように自動的に閉じ、従って、清浄化すべきホース２５の吸引力にかかわらず、ピストン室７又は供給容器４からこれ以上清浄化媒体を引き出すことができない。図６に示すように、清浄化媒体は多くとも現在閉じられている上側の逆止弁まで引き出される。この段階で、上側の逆止弁１４は以前のように閉じられている。
【００２１】
吸引ホースの上記連結及びそれに引き続く清浄化媒体４を圧送するポンプ８の押し下げの変わりに、所望量の清浄化媒体を移送するために分配容器３を初めに押し下げてもよい。次いで、例えばゆすぎ水溜めを清浄化するために、この清浄化媒体４を例えば注ぎ口１９を介して注ぐことができる。清浄化媒体４を分配容器３に圧送した後のみ、吸引ホースで移送された清浄化媒体４を引き出すことも可能である。
【００２２】
部分的に或いは完全に押し下げられたピストン８が解放された後、このピストンは戻りばね９によって再び自動的に上方に押される。これにより、ポンプ室７内に圧力不足が生じるので、下側の逆止弁１４が自動的に開き、供給容器２にある清浄化媒体４が吸引パイプ１８を経てポンプ室７の中へ上方に流れる。ピストン８が十分に上方に押され、ポンプ室７が再び清浄化媒体で満たされたときだけ、下側の逆止弁が自動的に閉じて、図２に示す初期位置と同じである図８に示す端配置が得られる。
【００２３】
かくして、図示のディスペンサーによれば、特定装置を清浄するのに必要とされる正確な量が利用可能になるように簡単な方法で清浄化媒体を正確に投与することが可能である。更に、まず、所望濃度の清浄化媒体を濃縮物の助剤と混合する必要がない。むしろ、供給容器にある清浄化媒体を直接用いることができるので、吸引及び／又は排液システムを清浄化する労力が極めて小さい。
【図面の簡単な説明】
【図１】  本発明によるディスペンサーの断面図である。
【図２】  分配方法の種々の段階の一つのを示す図１に示したディスペンサーの図である。
【図３】  分配方法の種々の段階の一つのを示す図１に示したディスペンサーの図である。
【図４】  分配方法の種々の段階の一つのを示す図１に示したディスペンサーの図である。
【図５】  分配方法の種々の段階の一つのを示す図１に示したディスペンサーの図である。
【図６】  分配方法の種々の段階の一つのを示す図１に示したディスペンサーの図である。
【図７】  分配方法の種々の段階の一つのを示す図１に示したディスペンサーの図である。
【図８】  分配方法の種々の段階の一つのを示す図１に示したディスペンサーの図である。
【図９】  本発明によるディスペンサーにより清浄化すべき吸引及び排液システムを有する歯科治療ステーションを示す図である。
【符号の説明】
１            ディスペンサー
２            供給容器
３            分配容器
４            清浄化媒体
５            連結パイプ
６            分配ポンプ
８            ピストン
９            戻りばね
１０            逆止弁
１４            逆止弁
１８            吸引パイプ
２１            吸引管
２２            吸引管
【図１】
0004125530.tif 000002
【図２】
0004125530.tif 000003
【図３】
0004125530.tif 000004
【図４】
0004125530.tif 000005
【図５】
0004125530.tif 000006
【図６】
0004125530.tif 000007
【図７】
0004125530.tif 000008
【図８】
0004125530.tif 000009
【図９】
0004125530.tif 000010